(57)【要約】【課題】、障害復旧を速やかに行なうことができるとともに、起動時の待ち時間を短縮できる電源制御装置を提供する。【解決手段】電源制御装置１がオフされ、全て電源供給端子５からの電源供給が遮断されると、電源供給制御回路２がリセットされるから、電源供給制御回路２の異常により、電源供給に障害が発生した場合には、その復旧を速やかに行なうことができる。また、電源供給制御回路２がリセットされると交流電源供給スタンバイ状態となるから、再起動時のリセット完了待ち時間が無くなり、直ちに電源供給を行なうことができる。さらに、パソコン８のコマンドにより電源供給制御回路２をリセットすることができるから、遠隔操作等が可能となり使い勝手が向上する。【選択図】図１
2007037265.tif 000002
【特許請求の範囲】
【請求項１】
商用交流電源をブレーカを介して導入し、複数の電源供給端子から所定電圧の電源を供給するようにした電源制御装置において、
該電源制御装置をオン・オフする操作スイッチと、内部回路である電源供給制御回路と、該電源供給制御回路をリセットするリセット手段とを備え、
該リセット手段を、前記操作スイッチにより前記電源制御装置をオフして、前記複数の電源供給端子からの電源供給を遮断したとき作動させ、リセットした前記電源供給制御回路をスタンバイ状態とすることを特徴とする電源制御装置。
【請求項２】
制御用コンピュータを接続し、該制御用コンピュータの前記複数の電源供給端子からの電源供給を遮断する遮断信号により、前記リセット手段を作動させることを特徴とする請求項１に記載の電源制御装置。
【発明の詳細な説明】
【技術分野】
【０００１】
本発明は、商用交流電源をブレーカを介して導入し、複数の電源供給端子から所定電圧の電源を供給するようにした電源制御装置に関するものである。
【背景技術】
【０００２】
従来、上記した電源制御装置では、内部回路である電源供給制御回路のリセットをブレーカの入り切りにより行っていた。この場合、電源制御装置が稼動中は手動でブレーカを操作しない限り内部回路のリセットが行なわれない。また、内部回路の異常により障害が発生したときには、ブレーカを遮断して障害を復旧させるまで、異常状態が継続してしまう。
【０００３】
一方、上記電源制御装置等に配設されるブレーカが、外部から簡単に操作できないようにカバー等により隠蔽されている場合には、ブレーカ操作を迅速に行なうことができなく、障害復旧に時間が掛かるという問題点がある。
【特許文献１】無し
【発明の開示】
【発明が解決しようとする課題】
【０００４】
解決しようとする問題点は、障害復旧を速やかに行なうことができるとともに、起動時の待ち時間を短縮できる電源制御装置を提供することである。
【課題を解決するための手段】
【０００５】
上記問題点を解決するための請求項１に記載の電源制御装置は、商用交流電源をブレーカを介して導入し、複数の電源供給端子から所定電圧の電源を供給するようにした電源制御装置において、該電源制御装置をオン・オフする操作スイッチと、内部回路である電源供給制御回路と、該電源供給制御回路をリセットするリセット手段とを備え、該リセット手段を、前記操作スイッチにより前記電源制御装置をオフして、前記複数の電源供給端子からの電源供給を遮断したとき作動させ、リセットした前記電源供給制御回路をスタンバイ状態とすることを特徴とする。
【０００６】
また、請求項２に記載の電源制御装置は、請求項１に記載の構成において、制御用コンピュータを接続し、該制御用コンピュータの前記複数の電源供給端子からの電源供給を遮断する遮断信号により、前記リセット手段を作動させることを特徴とする。
【０００７】
請求項１に記載の電源制御装置によれば、操作スイッチにより電源制御装置がオフされ、複数の電源供給端子からの電源供給が遮断されると、リセット手段が作動して電源供給制御回路をリセットしてスタンバイ状態とする。従って、電源供給制御回路の異常により、電源供給に障害が発生した場合には、その復旧を速やかに行なうことができる。また、再起動時のリセット完了待ち時間が無くなり、直ちに電源供給を行なうことができる。
【０００８】
請求項２に記載の電源制御装置によれば、制御用コンピュータの複数の電源供給端子からの電源供給を遮断する遮断信号により、リセット手段が作動して電源供給制御回路がリセットされスタンバイ状態となるから、遠隔操作等が可能となり使い勝手が向上する。
【実施例】
【０００９】
本発明の実施例について図面を参照して説明する。図１は、実施例に係る電源制御装置１の概略のブロック図である。電源制御装置１は、内部回路である電源供給制御回路２に商用交流電源（１００Ｖ）３をブレーカ４を介して導入し、複数の電源供給端子５から所定電圧（１００Ｖ）の交流電源を供給する。電源供給制御回路２は、マイクロプロセッサとメモリ等を集積したマイクロコンピュータ（以下、マイコンという。）６が組み込まれている。マイコン６は、所定の電源供給制御ソフトにより電源供給制御回路２を制御する。
【００１０】
電源供給制御回路２には操作スイッチ７が接続され、電源制御装置１のオン・オフを行なう。また、電源供給制御回路２には制御コンピュータであるパーソナルコンピュータ（以下、パソコンという。）８が、ＬＡＮ接続用インターフェース９を介して接続されている。パソコン８は、所定の処理ソフトに従い各種コマンドを電源制御回路２のマイコン６に出力して電源供給制御回路２を制御することができる。
【００１１】
上記マイコン６の電源供給制御ソフトには、電源供給制御回路２をリセットしてスタンバイ状態とするリセット手段が組み込まれている。リセット手段は、操作スイッチ７若しくはパソコン８のコマンドにより、前記電源制御装置１をオフして、前記複数の電源供給端子５からの電源供給を遮断したとき、電源供給制御回路２をリセットしてスタンバイ状態とする。
【００１２】
図２は上記リセット手段のリセット処理の概略を示したフローチャートである。先ず、ステップＳ１０で操作スイッチ７がオフされるか、若しくはステップＳ１５でパソコン８から電源制御装置１をオフするコマンドが出力されると、ステップＳ２０で全ての電源供給端子５からの電源供給を遮断する。続くステップＳ２５では、電源供給制御回路２がリセットされる。そして、ステップＳ３０で電源供給制御回路２を交流電源供給スタンバイ状態とする。
【００１３】
上記したように、電源制御装置１がオフされ、全て電源供給端子５からの電源供給が遮断されると、電源供給制御回路２がリセットされるから、電源供給制御回路２の異常により、電源供給に障害が発生した場合には、その復旧を速やかに行なうことができる。また、電源供給制御回路２がリセットされると交流電源供給スタンバイ状態となるから、再起動時のリセット完了待ち時間が無くなり、直ちに電源供給を行なうことができる。さらに、パソコン８のコマンドにより電源供給制御回路２をリセットすることができるから、遠隔操作等が可能となり使い勝手が向上する。
【００１４】
その他、上記電源制御装置１によれば、連続稼動状態であっても電源供給制御回路２のリセットにより、実質的な稼動時間を短縮できるとともに、ＲＡＭ等の揮発性記憶デバイスのリフレッシュが可能となる。さらに、ブレーカが外部から簡単に操作できないようにカバー等により隠蔽されている場合でも、ブレーカ操作を行なうことなしに、障害復旧等を迅速に行なうことができる。そして、リセット手段のリセット処理の実行条件を適格に設定することで、精度良く障害復旧を行なうことができる。
【図面の簡単な説明】
【００１５】
【図１】実施例に係る電源制御装置の概略のブロック図である。
【図２】リセット手段のリセット処理の概略を示したフローチャートである。
【符号の説明】
【００１６】
１  電源制御装置
２  電源供給制御回路
３  商用交流電源
４  ブレーカ
５  電源供給端子
６  マイコン
７  操作スイッチ
８  マイコン
【図１】
2007037265.tif 000003
【図２】
2007037265.tif 000004